(57)【特許請求の範囲】
【請求項１】
車両を待っている人の携帯端末に前記車両を待っている人の位置周辺の施設の情報を提供する情報提供装置であって、
前記車両を待っている人の位置の情報を取得する位置情報取得手段と、
前記位置情報取得手段から取得した前記車両を待っている人の位置に車両が到着するまでの待ち時間を取得する待ち時間取得手段と、
前記車両を待っている人に提供する情報を設定する情報設定手段と、
を備え、
前記情報設定手段は、前記待ち時間取得手段で取得した待ち時間と、前記位置情報取得手段から取得した前記車両を待っている人の位置と前記施設との距離から算出される移動時間と、施設の属性に基づいて予め設定された滞在時間とに応じて選定される前記施設の情報に、前記提供する情報を変更することを特徴とする情報提供装置。
【請求項２】
前記位置情報取得手段により取得される移動後の前記車両を待つ人の位置情報を前記車両に送信する、請求項１に記載の情報提供装置。
【発明の詳細な説明】
【技術分野】
【０００１】
本発明は、車両を待っている人の携帯端末に情報を提供する情報提供装置に関する。
【背景技術】
【０００２】
携帯端末を利用して、車両を待っている人に対して各種情報を提供する技術が開発されている。特許文献１に記載の配車システムでは、配車センタが管理下のタクシの車両位置や運行状況を管理し、配車センタにおいて携帯端末から現在位置を含む配車要求を受信した場合、管理下のタクシの中から予約車を選択し、交通情報等に基づいて待ち時間を算出し、定期的に配車される予約車の待ち時間や車両位置を携帯端末に提供する。
【先行技術文献】
【特許文献】
【０００３】
【特許文献１】特開２００４−１９２３６６号公報
【発明の概要】
【発明が解決しようとする課題】
【０００４】
上記の配車システムの場合、車両を待っている人に対して待ち時間と車両位置の情報が提供されるだけである。そのため、車両を待っている人は、その情報だけでは待っている場所周辺にどのような施設等があるか判らず、待ち時間を有効に活用できない。
【０００５】
そこで、本発明は、車両の待ち時間を有効に活用できる情報を提供する情報提供装置を提供することを課題とする。
【課題を解決するための手段】
【０００６】
本発明に係る情報提供装置は、車両を待っている人の携帯端末に情報を提供する情報提供装置であって、車両を待っている人の位置まで車両が到着するまでの待ち時間を取得する待ち時間取得手段と、車両を待っている人に提供する情報を設定する情報設定手段とを備え、情報設定手段は、待ち時間取得手段で取得した待ち時間に応じて提供する情報を変更することを特徴とする。
【０００７】
この情報提供装置では、人が車両を待っている場合、待ち時間取得手段によってその車両を待っている人の位置まで車両が到着するまでの待ち時間を取得する。そして、情報提供装置では、情報設定手段によってその待ち時間に応じて提供する情報を変更し、その情報を車両を待っている人の携帯端末に提供する。提供する情報としては、待ち時間の間に車両を待っている人が行くことができ、行った先で時間を過ごせるような情報であり、例えば、車両を待っている人の位置周辺に存在する施設情報、観光情報、休憩場所情報がある。待ち時間が長いほど行ける範囲が広がり、行った先での滞在時間も長くでき、待ち時間が短いほど行ける範囲が狭くなり、行った先での滞在時間も短くなる。そこで、待ち時間に応じて車両を待っている人に提供する情報を変更している。このように、情報提供装置では、車両の待ち時間に応じて提供する情報を変更して車両を待っている人の携帯端末に提供することにより、車両の待ち時間を有効に活用できる情報を提供でき、車両を待っている人はその提供された情報によって待ち時間を有効に活用できる。
【０００８】
本発明の上記情報提供装置では、車両を待っている人の位置の情報を取得する位置情報取得手段を備え、情報設定手段は、位置情報取得手段で取得した位置情報に応じて提供する情報を変更すると好適である。
【０００９】
この情報提供装置では、位置情報取得手段によって車両を待っている人の位置情報を取得する。そして、情報提供装置では、情報設定手段によって車両を待っている人の位置情報に応じて提供する情報を変更する。車両を待っている人の位置に応じて待ち時間の間に車両を待っている人が行くことができる範囲が変わるので、車両を待っている人の位置に応じて提供する情報を変更している。このように、情報提供装置では、車両を待っている人の位置に応じて提供する情報を変更して車両を待っている人の携帯端末に提供することにより、車両の待ち時間をより有効に活用できる情報を提供でき、車両を待っている人はその提供された情報によって待ち時間をより有効に活用できる。
【００１０】
本発明の上記情報提供装置では、提供する情報は、車両を待っている人の位置周辺の施設情報とする。このように、情報提供装置では、提供する情報を車両を待っている人の位置周辺の施設情報とすることにより、車両を待っている人に周辺の施設情報を提供でき、車両を待っている人はその提供された施設情報によって待ち時間を有効に活用できる。
【発明の効果】
【００１１】
本発明は、車両の待ち時間に応じて提供する情報を変更して車両を待っている人の携帯端末に提供することにより、車両の待ち時間を有効に活用できる情報を提供でき、車両を待っている人はその提供された情報によって待ち時間を有効に活用できる。
【図面の簡単な説明】
【００１２】
【図１】本実施の形態に係る情報提供システムの構成図である。
【図２】図１の情報提供システムにおける情報提供の概要図である。
【図３】図１の携帯端末に表示される情報提供画面の一例であり、（ａ）がお迎え車とお迎え要請者の位置関係であり、（ｂ）がお薦め暇つぶし地点であり、（ｃ）がお迎え車がお迎え要請者の２００ｍ手前まで接近した場合であり、（ｄ）がお迎え車がお迎え要請者に到着した場合である。
【図４】図１の情報提供システムにおける動作の流れを示すフローチャートである。
【発明を実施するための形態】
【００１３】
以下、図面を参照して、本発明に係る情報提供装置の実施の形態を説明する。なお、各図において同一又は相当する要素については同一の符号を付し、重複する説明を省略する。
【００１４】
本実施の形態では、本発明を、車両（ナビゲーション装置）、人が携帯する携帯端末、センタから構成される情報提供システムに適用する。本実施の形態に係る情報提供システムは、センタに登録されている人（お迎え要請者）が車両でのお迎えを要請した場合に、快適にお迎え要請者をお迎え車でピックアップできるようにお迎え要請者とお迎え車に情報を提供するシステムである。本実施の形態に係る情報提供システムでは、車両とセンタ間及びセンタと携帯端末間が無線で通信可能であり、お迎え要請者が車両でのお迎えを緯度経度情報を通知してセンタに要請すると、その緯度経度情報がセンタを介してお迎え車のナビゲーション装置の目的地として自動的に設定され、お迎え車が到着するまでお迎え要請者の携帯端末にセンタから各種情報を提供する。無線通信は、例えば、携帯電話の通信回線網を利用した無線通信である。
【００１５】
図１〜図３を参照して、本実施の形態に係る情報提供システム１について説明する。図１は、本実施の形態に係る情報提供システムの構成図である。図２は、図１の情報提供システムにおける情報提供の概要図である。図３は、図１の携帯端末に表示される情報提供画面の一例である。
【００１６】
情報提供システム１では、センタ４からお迎え要請者Ｍの携帯端末３にお迎え車２の現在地や到着するまでの所要時間（待ち時間）の情報を提供する。さらに、情報提供システム１では、センタ４からお迎え要請者Ｍの携帯端末３に待ち時間の間にお迎え要請者Ｍが時間を過ごせる暇つぶし場所の情報を提供し、その待ち時間やお迎え要請者Ｍの位置に応じて暇つぶし場所の情報を変更する。
【００１７】
情報提供システム１の構成について具体的に説明する前に、図２及び図３を参照して、情報提供システム１における情報提供の概要について説明しておく。お迎え要請者Ｍが、お迎え車２を要請するめに、携帯端末３から緯度経度情報をセンタ４に通知する。センタ４では、登録されているお迎え車２が走行中か否かを判定し、走行中の場合にはお迎え車２にお迎え要請者Ｍの緯度経度情報を送信し、走行中でない場合にはお迎え車２を運転してお迎えをする者Ｕの携帯端末５にお迎え要請依頼を通知する。お迎え車２では、緯度経度情報を受信すると、ナビゲーション装置２ａにその緯度経度情報が目的地として設定され、ナビゲーション装置２ａで目的地に到着するまでの所要時間を算出し、現在地情報と到着時間をセンタ４に通知する。なお、お迎え車２のお迎え者Ｕがお迎え要請依頼を受信し、お迎え車２が走行を開始した場合、同様に、ナビゲーション装置２ａに緯度経度情報が目的地として設定され、現在地情報と到着時間をセンタ４に通知する。
【００１８】
センタ４では、到着までの所要時間とお迎え要請者Ｍからの距離に応じて暇つぶし地点を算出し、メールでお迎え車２の位置情報、到着時間及び暇つぶし地点をお迎え要請者Ｍの携帯端末３に通知する。それらの情報をお迎え要請者Ｍの携帯端末３で受信すると、お迎え要請者Ｍは、それらの情報を携帯端末３で確認する。例えば、図３（ａ）に示すように、携帯端末３の画面に、お迎え要請者Ｍの現在地を中心として地図が表示され、地図上にお迎え要請者Ｍの現在地にマークＭＭと到着までの所要時間（１０分）が表示されるとともにお迎え車２の現在地にマークＶＭが表示される。また、図３（ｂ）に示すように、携帯端末３の画面に、地図上にお迎え要請者Ｍを示すマークＭＭ’及び暇つぶし地点としてカフェを示すマークＰＭ１、本屋を示すマークＰＭ２、コンビニエンスストアを示すマークＰＭ３が表示される。
【００１９】
お迎え要請者Ｍが、提供された暇つぶし地点情報に基づいて暇をつぶしたい施設がある場合、その暇つぶし地点Ｐまで移動する。この際、携帯端末３から暇つぶしのために移動した地点Ｐの緯度経度情報をセンタ４に自動でアップロードされ、その緯度経度情報がセンタ４を介して車両２に通知され、ナビゲーション装置２ａの目的地が変更される。
【００２０】
センタ４では、お迎え車２がお迎え要請者Ｍの現在地から設定距離以内に到着した場合、お迎え車２の位置情報をお迎え要請者Ｍの携帯端末３に通知する。例えば、図３（ｃ）に示すように、携帯端末３の画面に、地図上にお迎え要請者Ｍを示すマークＭＭ’（マークＰＭ３で示されたコンビニエンスストアに移動した後の位置）とお迎え車２を示すマークＶＭが表示される。そして、設定距離以内になった後、センタ４を介してお迎え車２（ナビゲーション装置２ａ）とお迎え要請者Ｍ（携帯端末３）間でお互いの位置情報を通知しあい、接近していることを確認しあう。
【００２１】
センタ４では、お迎え車２とお迎え要請者Ｍとのお互いの位置情報が一致したか否かを判定し、一致する場所をピックアップポイントとして登録しておく。このように、お迎え車２がお迎え要請者Ｍに到着すると、例えば、図３（ｄ）に示すように、携帯端末３の画面に、地図上にお迎え要請者Ｍを示すマークＭＭ’とそのマークＭＭ’に重なるようにお迎え車２を示すマークＶＭが表示される。
【００２２】
それでは、情報提供システム１の構成について具体的に説明する。まず、お迎え車２について説明する。お迎え車２は、センタ４に各種情報（識別番号、無線通信用のアドレス等）が登録されている。この登録には、車両に対応付けて、お迎え要請者Ｍの携帯端末３の情報（識別番号、無線通信用のメールアドレス等）及びお迎え車２を運転してお迎えする者Ｕの携帯端末５の情報等も付加されている。お迎え車２は、センタ４との無線通信機能を有しており、無線通信機（図示せず）を備えている。この無線通信機は、携帯電話等の無線通信方式によってセンタ４と無線通信を行うための通信機であり、例えば、ＤＣＭ[Date Communication Module]である。また、お迎え車２は、ナビゲーション装置２ａを備えている。
【００２３】
ナビゲーション装置２ａは、車両の現在地や進行方向を検出する機能、目的地が設定された場合に目的地までの経路を探索する機能、目的地までの経路に沿って案内する機能等を有している。さらに、ナビゲーション装置２ａは、お迎え要請に対する情報提供に関する機能を有している。以下に、情報提供に関する機能について説明する。なお、お迎え車２では、一定時間毎に、ナビゲーション装置２ａで検出した現在地、進行方向、車速等の情報をセンタ４にアップロードしている。
【００２４】
ナビゲーション装置２ａでは、センタ４からのお迎え要請者Ｍの緯度経度情報を受信すると、その緯度経度情報を目的地として設定し、その目的地までの経路を探索するとともに目的地への到着時間を算出する。この際、センタ４から受信した交通情報等を加味して、到着時間を算出する。そして、ナビゲーション装置２ａでは、お迎え車２の現在地情報（緯度経度情報）と到着時間を無線通信機を用いてセンタ４にアップロードする。また、ナビゲーション装置２ａでは、お迎え車２でセンタ４からお迎え要請者Ｍの緯度経度情報を受信する毎（例えば、お迎え要請者Ｍが暇つぶし地点に移動した場合）に、その緯度経度情報が前回から変更されている場合には目的地を変更し、その目的地までの経路を探索するとともに目的地への到着時間を算出し、お迎え車２の現在地情報と到着時間を用いてセンタ４にアップロードする。
【００２５】
ナビゲーション装置２ａでは、お迎え車２がお迎え要請者Ｍの現在地から設定距離以内に到着した後、一分毎にお迎え要請者Ｍの緯度経度情報をセンタ４から受信する。なお、ナビゲーション装置２ａでは、上記したように、常時、一定時間毎に現在地情報等をセンタ４にアップロードしている。
【００２６】
お迎え要請者Ｍが携帯する携帯端末３について説明する。携帯端末３は、上記したようにお迎え車２に対応付けてセンタ４に登録されている。携帯端末３は、無線通信機能を有する端末であり、例えば、携帯電話、スマートフォンである。携帯端末３は、ＧＰＳ[Global Positioning System]機能を有しており、緯度経度情報を取得できる。また、携帯端末３は、お迎え要請に対する情報提供に関する機能を有している。以下に、情報提供に関する機能について説明する。
【００２７】
携帯端末３には、お迎え車２を要請するためのお迎えボタンがある。このボタンは、機械式のボタンでもよいし、あるいは、画面に表示されるタッチパネル式のボタンでもよい。例えば、携帯電話のアプリケーション機能（お迎え機能）を用いてお迎え車２を要請する。携帯端末３では、お迎え要請者Ｍによってお迎えボタンが押下されると、お迎え車２を要請するために緯度経度情報をセンタ４にアップロードする。
【００２８】
携帯端末３では、センタ４からお迎え車２の位置情報、到着時間、暇つぶし地点の各情報を受信すると、それらの情報をお迎え要請者Ｍの操作に応じて画面上に表示する。この表示形式としては、受信した情報のデータ形式に応じて、テキスト形式の場合もあれば、図３に示すような地図等の画像形式の場合もある。
【００２９】
携帯端末３では、緯度経度情報に基づいてお迎え要請者Ｍが同じ場所に一定時間（例えば、５分）以上いると判断した場合、その場所の緯度経度情報を暇つぶし地点としてセンタ４にアップロードする。
【００３０】
携帯端末３では、お迎え車２が周辺まできている情報を受信した後、一分毎に緯度経度情報をセンタ４にアップロードするとともに、一分毎にお迎え車２の緯度経度情報をセンタ４から受信する。
【００３１】
センタ４について説明する。センタ４は、サーバを備えており、車両や車両のユーザに対して各種サービスを提供するセンタであり、例えば、自動車会社が運営するセンタである。センタ４のデータベースには、車両に関する各種情報（車両の識別情報、無線通信用のアドレス等）と車両のユーザに関する情報（ユーザの識別情報、携帯端末のメールアドレス等）が登録されている。センタ４は、各車両との無線通信機能を有しているとともに、ユーザの携帯端末等との無線通信機能を有している。ここでは、センタ４における各種サービスのうちお迎え要請に対する情報提供に関する機能について説明する。なお、このセンタ４における情報提供に関する機能が特許請求の範囲に記載の情報設定手段に相当し、センタ４による無線通信機能が特許請求の範囲に記載の待ち時間取得手段及び位置情報取得手段に相当する。
【００３２】
センタ４では、お迎え要請者Ｍの携帯端末３から緯度経度情報を受信する毎に、データベースに登録されている情報に基づいてそのお迎え要請者Ｍに対応するお迎え車２を検索し、そのお迎え車２の稼動状況に基づいてお迎え車２が走行中(稼動中)か否かを判断する。稼動状況としては、例えば、お迎え車２から一定時間毎に現在地情報等がアップされているか否かで判断する。お迎え車２が走行中の場合、センタ４では、そのお迎え車２にお迎え要請者Ｍの緯度経度情報を通知する。お迎え車２が走行していない場合、センタ４では、そのお迎え車２を運転してお迎えをする者Ｕの携帯端末５にお迎え要請依頼を通知する。お迎え要請依頼を通知後、センタ４では、所定時間内にお迎え車２が稼動（走行）したか否かを判断する。お迎え車２が稼動した場合、センタ４では、そのお迎え車２にお迎え要請者Ｍの緯度経度情報を通知する。お迎え車２が稼動しない場合、センタ４では、お迎え要請者Ｍの携帯端末３に反応無し（お迎え不可）を通知する。
【００３３】
センタ４では、お迎え車２から現在地情報と到着時間を受信する毎に、到着するまでに要する所要時間とお迎え要請者Ｍの現在地（緯度経度情報）に応じて、お迎え車２を待っているお迎え要請者Ｍが暇をつぶすことが可能な施設の地点を算出する。具体的には、施設の属性に応じて滞在時間を設定しておく。例えば、コンビニエンスストアの場合には０〜５分、本屋の場合には５〜１０分、カフェの場合には１５分以上を設定する。ここに示す施設は一例であり、他の様々な施設が対象となる。滞在時間については、各ユーザに応じた学習によって設定してもよい。また、お迎え要請者Ｍの現在地からの距離に応じて移動時間を設定しておく。例えば、お迎え要請者Ｍの現在地から１００ｍ離れる毎に２分加算した時間を設定する。そして、到着するまでに要する所要時間とお迎え要請者Ｍの現在地情報及びその現在地周辺の各施設の位置情報を用いて、現在地周辺の施設毎に、現在地から施設までの距離を算出し、その距離に応じて移動時間を設定し、その移動時間と施設の滞在時間との加算時間が到着するまでに要する所要時間以内の場合にはその施設を暇つぶし可能な施設として選定する。例えば、到着までの所要時間が５分の場合には１００ｍ以内のコンビニエンスストア等であれば選定され、到着までの所要時間が１０分の場合には３００ｍ以内のコンビニエンスストアや１００ｍ以内の本屋等であれば選定され、到着までの所要時間が２０分の場合には３００ｍ以内の本屋等であれば選定され、到着までの所要時間が３０分の場合には３００ｍ以内のカフェ等も選定される。なお、各ユーザが希望の施設の属性を指定している場合、その指定に応じて施設を設定するようにしてもよい。
【００３４】
そして、センタ４では、お迎え車２の位置情報と到着時間及び選定した暇つぶし地点情報をお迎え要請者Ｍの携帯端末３にメールで通知する。この通知する情報としては、テキスト形式の情報でもよいし、地図等を用いた画像形式の情報でもよい。また、センタ４では、お迎え車２の到着時間（到着までの所要時間）が更新された場合、その更新された時間に応じて暇つぶす地点を再選定し、お迎え車２の位置情報と到着時間及び選定した暇つぶし地点情報をお迎え要請者Ｍの携帯端末３に通知する。また、センタ４では、お迎え要請者Ｍの緯度経度情報が更新された場合、その更新されたお迎え要請者Ｍの現在地に応じて暇をつぶす地点を再選定し、お迎え車２の位置情報と到着時間及び選定した暇つぶし地点情報をお迎え要請者Ｍの携帯端末３に通知する。
【００３５】
センタ４では、お迎え要請者Ｍの携帯端末３から暇つぶし地点がアップロードされた場合、その暇つぶし地点としてアップロードされた回数をカウントアップし、その回数が所定回数以上の場合にはよく行く暇つぶし地点情報としてお迎え要請者Ｍの情報の中に登録しておく。暇つぶし地点情報だけでなく、その暇つぶし地点の施設の属性も登録するようにしてもよい。このような情報を登録しておくことにより、暇つぶし地点を選定する際に、お迎え要請者Ｍの施設の嗜好情報も考慮して暇つぶし地点を選定できる。
【００３６】
センタ４では、お迎え車２から一定時間毎にアップロードされる現在地情報に基づいて、お迎え車２がお迎え要請者Ｍの現在地を中心として設定距離（例えば、２００ｍ）以内に到着したか否かを判定する。お迎え車２が設定距離以内に到着した場合、センタ４では、お迎え車２が周辺まできている情報及びお迎え車２の位置情報をお迎え要請者Ｍの携帯端末３に通知する。
【００３７】
センタ４では、お迎え車２が設定距離以内に到着したと判定後、お迎え要請者Ｍの携帯端末３から緯度経度情報がアップロードされる毎に、その緯度経度情報をお迎え車２に通知する。また、センタ４では、お迎え車２が設定距離以内に到着したと判定後、お迎え車２から緯度経度情報がアップロードされる毎に、その緯度経度情報をお迎え要請者Ｍの携帯端末３に通知する。
【００３８】
センタ４では、一分毎にアップロードされるお迎え車２の緯度経度情報とお迎え要請者Ｍの緯度経度情報に基づいて、お互いの緯度経度が同じになったか否かを判定する（誤差範囲を設けて判定する）。お互いの緯度経度が同じになった場合、センタ４では、その緯度経度の地点を最終ピックアップポイントとしてお迎え要請者Ｍの情報の中に登録しておく。このような情報を登録しておくことにより、この登録されたピックアップポイント（あるいは、ピックアップポイントの施設の属性）を暇つぶし地点を選定するときに活用する。
【００３９】
図１〜図３を参照して、情報提供システム１における動作の流れについて図４のフローチャートに沿って説明する。図４は、図１の情報提供システムにおける動作の流れを示すフローチャートである。
【００４０】
お迎え要請者Ｍが、お迎え車２を要請するために、携帯端末３のお迎えボタンを押下する（Ｓ１）。すると、携帯端末３では、緯度経度情報をセンタ４にアップロードする（Ｓ２）。
【００４１】
センタ４では、その緯度経度情報を受信すると、そのお迎え要請者Ｍに対応付けられて登録されているお迎え車２が稼動中か否かを判定する（Ｓ３）。Ｓ３にて稼動中でないと判定した場合、センタ４では、そのお迎え車２に対応付けられて登録されているお迎え者の携帯端末５にお迎え要請依頼を通知する（Ｓ４）。その通知後の所定時間内に、センタ４では、お迎え車２が稼動したか否かを判定する（Ｓ５）。Ｓ５にて稼動しなかったと判定した場合、センタ４では、お迎え要請者Ｍの携帯端末３に反応無しを通知する（Ｓ６）。この情報を携帯端末３で受信すると、お迎え要請者Ｍは、この情報を携帯端末３で確認し、お迎え車２が迎えに来ないことを認識する。迎えに来られない場合、別のお迎え車２にお迎えを要請してもよい。
【００４２】
Ｓ３にて稼動中と判定した場合又はＳ５にて稼動したと判定した場合、センタ４では、お迎え要請者Ｍに対応付けられて登録されているお迎え車２（ナビゲーション装置２ａ）にお迎え要請者Ｍの緯度経度情報を通知する（Ｓ７）。お迎え車２でその緯度経度情報を受信すると、ナビゲーション装置２ａでは、その緯度経度情報を目的地として設定し、目的地までの経路を探索するとともに目的地に到着する時間を算出する（Ｓ８）。そして、ナビゲーション装置２ａでは、お迎え車２の現在地情報と目的地への到着時間をセンタ４にアップロードする（Ｓ９）。
【００４３】
センタ４では、その現在地情報と到着時間を受信すると、到着までの所要時間とお迎え要請者Ｍの現在地に応じて暇つぶし地点を算出する（Ｓ１０）。そして、センタ４では、お迎え車２の位置情報と到着時間及び暇つぶし地点をお迎え要請者Ｍの携帯端末３に通知する（Ｓ１１）。それらの情報を携帯端末３で受信すると、お迎え要請者Ｍは、携帯端末３の画面で暇つぶし地点の情報を見て、お迎え車２を待っている間に暇をつぶしたい施設があればその地点まで移動する。
【００４４】
センタ４では、お迎え車Ｍから一定時間毎にアップロードされる現在地情報に基づいて、お迎え要請者Ｍの現在地から設定距離以内にお迎え車２が到着したか否かを判定する（Ｓ１２）。Ｓ１２にて設定距離以内に到着していないと判定した場合、一定時間後に、センタ４では、再度判定する（Ｓ１２）。Ｓ１２にて設定距離以内に到着したと判定した場合、センタ４では、お迎え車２が周辺まで到着した情報とお迎え車２の位置情報をお迎え要請者Ｍの携帯端末３に通知する（Ｓ１３）。この情報を携帯端末３で受信すると、お迎え要請者Ｍは、携帯端末３の画面でその情報を見て、お迎え車２が近くまできていることを認識する。
【００４５】
携帯端末３では、お迎え要請者Ｍが一定時間以上同じ場所（暇つぶし地点）に滞在したか否かを判定する（Ｓ１４）。Ｓ１４にて一定時間以上同じ場所に滞在したと判定した場合、携帯端末３では、その暇つぶし地点の情報をセンタ４にアップロードする（Ｓ１５）。センタ４では、その情報を受信すると、同じ暇つぶし地点がアップロードされた回数が所定回数以上の場合にはよく行く暇つぶし地点情報として登録しておく。
【００４６】
お迎え車２が設定距離以内になると、携帯端末３では、一分毎に、緯度経度情報をセンタ４にアップロードする（Ｓ１６）。この緯度経度情報を受信すると、センタ４では、その緯度経度情報をお迎え車２（ナビゲーション装置２ａ）に通知する（Ｓ１６）。また、ナビゲーション装置２ａでも、一分毎に、緯度経度情報をセンタ４にアップロードする（Ｓ１６）。この緯度経度情報を受信すると、センタ４では、その緯度経度情報をお迎え要請者Ｍの携帯端末３に通知する（Ｓ１６）。その情報を携帯端末３で受信すると、お迎え要請者Ｍは、携帯端末３の画面でお迎え車２の位置を逐次確認し、直ぐ近くにきた場合には暇つぶしの施設等から出て、外で待つ。お迎え車２が到着すると、お迎え要請者Ｍがお迎え車２にピックアップされる。
【００４７】
センタ４では、一分毎にアップロードされるお迎え車２の緯度経度情報とお迎え要請者Ｍの緯度経度情報に基づいて、お互いの緯度経度が同じになったか否かを判定する（Ｓ１７）。Ｓ１７にてお互いの緯度経度が同じになったと判定した場合、センタ４では、その緯度経度の場所を最終ピックアップポイントとして登録しておく（Ｓ１８）。
【００４８】
この情報提供システム１によれば、お迎え車２が到着までに要する所定時間（待ち時間）とお迎え要請者Ｍの現在地に応じて暇つぶし可能な施設を選定し、その暇つぶし地点の情報をお迎え要請者Ｍの携帯端末３に通知することにより、待ち時間を有効に活用できる情報を提供でき、お迎え要請者Ｍはその提供された情報によって待ち時間を有効に活用できる。さらに、情報提供システム１によれば、到着までに要する所定時間又はお迎え要請者Ｍの現在地が変わると、その変わった所定時間又はお迎え要請者Ｍの現在地に応じて暇つぶし可能な施設を再選定して変更するので、待ち時間をより有効に活用できる情報を提供できる。
【００４９】
また、情報提供システム１によれば、お迎え要請者Ｍの現在地から施設までの移動時間及び施設の属性に応じて滞在時間を設定し、その移動時間や滞在時間に基づいて暇つぶし可能な施設を選定しているので、到着までに要する所定時間やお迎え要請者Ｍの現在地に応じた好適な暇つぶし地点を選ぶことができる。
【００５０】
以上、本発明に係る実施の形態について説明したが、本発明は上記実施の形態に限定されることなく様々な形態で実施される。
【００５１】
例えば、本実施の形態ではセンタで情報を受信して、センタで暇つぶし地点の選定等を行うセンタを介した情報処理システムに適用したが、システムの構成としては他の構成でもよく、例えば、車両で携帯端末からの情報を直接受信し、車両のナビゲーション装置等で暇つぶし地点の選定等を行うことにより車両と携帯端末で構成されるシステムでもよいし、あるいは、携帯端末で車両からの情報を直接受信し、携帯端末で暇つぶし地点の選定等を行うことにより車両と携帯端末で構成されるシステムでもよい。
【００５２】
また、本実施の形態ではお迎えの車両を待っている場合に適用したが、車両を待つ他のケースにも適用でき、例えば、お客さんがタクシの配車を要請し、タクシを待っている場合に適用できる。
【００５３】
また、本実施の形態ではお迎え要請者に提供する情報として待ち時間の間に暇をつぶすことができる各施設の情報としたが、待ち時間の間に車両を待っている人が行くことができ、行った先で時間を過ごせるような情報であればどのような情報でもよく、例えば、観光地の情報、休憩場所の情報でもよい。
【００５４】
また、本実施の形態ではお迎え車にナビゲーション装置が搭載され、そのナビゲーション装置で各処理を行う構成としたが、ナビゲーション装置が搭載されていない車両でも適用可能であり、その場合には車両に乗車する人（お迎えする人）が保持するナビゲーション機能を有する携帯端末等を利用する。また、お迎え車に無線通信機能がない場合にも適用可能であり、その場合には車両に乗車する人が保持する携帯端末等を利用する。
【００５５】
また、本実施の形態ではお迎え要請者が暇つぶし地点に移動した場合にはお迎え車の目的地を変更しているが、お迎え車の目的地を変更しなくてもよい（最初に決めたピックアップポイントで固定する）。
【符号の説明】
【００５６】
１…情報提供システム、２…お迎え車、２ａ…ナビゲーション装置、３，５…携帯端末、４…センタ。
【図１】
0005716514.tif 000002
【図２】
0005716514.tif 000003
【図３】
0005716514.tif 000004
【図４】
0005716514.tif 000005